(57)【要約】【課題】画像形成装置等の電気機器のインターロック装置において、複数の開閉カバーの検知を達成するとともに、複雑な機構が不要で検知位置の制約を少なくし、開閉カバーの開閉方向に制約をなくし、自由度が増す。【解決手段】画像形成装置１００の筺体１１に第１〜第４開閉カバーを設ける。各開閉カバーにストライカー１３，１５，１７，１９を設ける。筺体１１内の側面側に、長さ一定のワイヤー２１を這い回す。ワイヤー２１の端部２１Ｂにレバー２２を取り付け、レバー２２及びワイヤー２１を弾性部材２３により、一定の張力で懸架する。第１〜第４開閉カバーが全て閉のときストライカー１３，１５，１７，１９でワイヤー２１を屈曲させ、レバー２２でスイッチ８をＯＮにする。第１〜第４開閉カバーの一つでも開となるとレバー２２をスイッチ８から放してスイッチ８をＯＦＦにする。【選択図】図３
2010217474.tif 000002
【特許請求の範囲】
【請求項１】
電気機器の筐体の開閉カバーに連動して電源のスイッチをＯＮ／ＯＦＦするインターロック装置において、
前記筐体側に設けられ前記スイッチをＯＮ／ＯＦＦ方向に可動する係合部材と、
前記開閉カバー側に凸形状に形成され該開閉カバーの閉時に筐体内部に挿入するストライカーとを備え、
該開閉カバーが閉まる際は、上記ストライカーが筐体側の前記係合部材と当接し、前記スイッチをＯＮ方向に作用し、開閉カバーが開く際は、上記ストライカーが上記係合部材から離間して、上記スイッチをＯＦＦ方向に作用するように構成され、
前記筐体側の係合部材は張力で懸架された一定長さのワイヤーで構成され、該ワイヤーが前記開閉カバーの前記ストライカーの挿入方向に直交して該ストライカーと当接する位置関係に構成されていることを特徴とするインターロック装置。
【請求項２】
前記ワイヤーの懸架は、一端を固定、もう一端が可動であり、前記ストライカーの当接時の押込みに応じて、ワイヤーの懸架状態は該ストライカーの格納空間に経路を変更可能で、かつストライカーの押込み量に応じて、可動側の端部位置が変化することで前記スイッチをＯＮすることを特徴とする請求項１に記載のインターロック装置。
【請求項３】
前記ワイヤーの可動側の端部は前記スイッチの配置側に設定され、該ワイヤーの端部に、該端部の可動範囲で該スイッチをＯＮ／ＯＦＦ可能とするアームを有することを特徴とする請求項１または２に記載のインターロック装置。
【請求項４】
前記ワイヤーの可動側は、前記筐体側の固定部と弾性部材を介して接続されていることを特徴とする請求項１乃至３の何れか一項に記載のインターロック装置。
【請求項５】
前記弾性部材の力量は、前記スイッチのＯＦＦへの戻り力による抗力より高く設定されていることを特徴とする請求項４に記載のインターロック装置。
【請求項６】
前記開閉カバーの開閉検知に必要な複数の開閉カバーのストライカー位置に応じて、前記筐体側における前記ワイヤーの経路が一筆書き状に張り巡らされていることを特徴とする請求項１乃至５のいずれか一項に記載のインターロック装置。
【請求項７】
前記スイッチは可動レバーを備え、該可動レバーの押圧／解錠により該スイッチがＯＮ／ＯＦＦするように構成としたことを特徴とする請求項１乃至５のいずれか一項に記載のインターロック装置。
【請求項８】
前記開閉カバーを１つ閉めてストライカーがワイヤーを押込む量をΔＬとした場合、ｎ個の開閉カバーが全て閉まることで前記スイッチがＯＮ状態になる条件は、前記ワイヤーの端部の移動量がΔＬ×ｎ以上であり、ワイヤーの端部の移動量がΔＬ×（ｎ−１）以下では上記スイッチはＯＦＦ状態になることを特徴とする請求項１乃至７のいずれか一項に記載のインターロック装置。
【請求項９】
前記ワイヤーの経路の方向切替え部に、滑車を介することを特徴とする請求項１乃至８のいずれか一項に記載のインターロック装置。
【請求項１０】
前記ストライカーの出入りにより経路が変化するワイヤーの屈曲部に滑車を介することを特徴とする請求項１乃至９のいずれか一項に記載のインターロック装置。
【請求項１１】
前記ストライカーの先端部に、前記ワイヤーの部分を保持可能なＵ溝部が設けられていることを特徴とする請求項１乃至１０のいずれか一項に記載のインターロック装置。
【請求項１２】
請求項１乃至１１のいずれか一項に記載のインターロック装置を備えるとともに、前記開閉カバー側に画像形成に必要な光学ユニットを、前記筺体側に作像ユニットを備えたことを特徴とする画像形成装置。
【請求項１３】
請求項１乃至１１のいずれか一項に記載のインターロック装置を備えるとともに、前記開閉カバー側に画像形成に必要な作像ユニットを、前記筺体側に光学ユニットを備えたことを特徴とする画像形成装置。
【請求項１４】
請求項１乃至１１のいずれか一項に記載のインターロック装置を備えるとともに、前記開閉カバー側に画像形成に必要な現像ユニットを、前記筺体側に光学ユニット及び感光体ユニットを備えたことを特徴とする画像形成装置。
【発明の詳細な説明】
【技術分野】
【０００１】
本発明は、インターロック装置、このインターロック装置を備えた画像形成装置に関する。
【背景技術】
【０００２】
従来、画像形成装置等の電子機器において、  一般的に装置の開発において装置の小型化、単純化、低価格化が重要な課題となっている。装置の小型化のためには、部品を効率よく配置する必要があり、そのために装置内部の余分な空間は少なくなってくる。しかし、装置には、消耗品や、本体の寿命以内に交換が必要な部品があり、本体内部の消耗品および交換部品を取り出すには、開閉カバー等により、それらに容易にアクセスできる構成である必要がある。そのため、消耗品や交換部品が装置の内部に存在する場合には、それらよりも装置の外側にある部品、例えばカバー等は、その位置から容易に退避可能な構成である必要がある。そして、それら消耗品や交換部品等を取り出すときに、これらの内容物が機外に露出することになる。また、レーザー、電磁波、放射線等、高圧電流や高温低温、有害物質など、接触・非接触を問わず、機内に装備し外装で遮蔽された装置は、オペレータのアクセスでカバーを開いた際、内容物を取り出す際に、機外漏洩による人体への被害を防ぐために、マイクロスイッチなどのインターロック装置により電気回路上で遮断されるよう配慮されている。
【０００３】
図６は従来のインターロック装置の一例を示す概略図、図７はそのインターロック装置の作用を説明する図である。マイクロスイッチ８は、スイッチレバー９と基部とで構成され、スイッチレバー９に押圧方向に力が加わると、スイッチレバー９が倒れて基部に当接し、基部内のスイッチがＯＮに切り替る。また、押圧力が解除されると、マイクロスイッチ８はそれ自身が持つ反力にてスイッチレバー９が戻りＯＦＦに切り替わる。
【０００４】
装置の筐体１を覆い開閉する２つのカバー２，４の開閉検知を行う場合は、以下のリンク機構で達成していた。閉時は、各々のカバー２，４からそれぞれ伸びたストライカー３，５が、筐体１側に付属し水平方向に移動可能なアーム６と、このアーム６に対して支点回動するレバー７の両方を押込むことにより、レバー７の先端部は、マイクロスイッチ８のスイッチレバー９の作用点に達し、押圧力を加えＯＮとなり、開時は、少なくともどちらか一方のカバー２または４を開くことで、レバー７がスイッチレバー９の作用点から離れることにより押圧が解除されＯＦＦとなる。
【０００５】
また、このようなインターロック装置として、例えば特許第４０７９５８８号公報（特許文献１）、特開２００２−６７４３７号公報（特許文献２）に開示されたものがある。
【０００６】
特許文献１のものは、回路基板上の電路を開閉する電気スイッチと、この電気スイッチ側から機器筐体の前面に向けて延びる連携部材と、この連携部材の他端部に組付けられ、機器筐体の複数のカバーの閉移動によって駆動される複数の受け部材とを備えている。そして、複数のカバーにより複数の受け部材が同時に押されているとき、前記連結部材を介して電気スイッチをＯＮとし、少なくとも１つのカバーが開いているとき電気スイッチをＯＦＦとするものである。
【０００７】
特許文献２のものは、画像形成装置のカバー開口部の内側に回動可能なレバーを設け、このレバーに一端が固定されたワイヤーとこのワイヤーを覆うチューブとを、画像形成装置後方の電源供給基板まで伸ばし、このワイヤーの他端が電源供給基板のインターロックスイッチに接触可能なように構成されている。そして、画像形成装置のドアが閉められると、ドアの突起部がレバーを押し、このレバーが回転してワイヤーが引かれ、インターロックスイッチがＯＮとなる。また、ドアが開けられると圧縮バネの力によりワイヤーが逆に引かれインターロックスイッチがＯＦＦとなる。
【発明の概要】
【発明が解決しようとする課題】
【０００８】
ここで、例えば、画像形成装置において開閉カバー等による内部へのアクセスは、一箇所のみならず複数箇所からのアクセスが必要とされており、開閉カバーが複数で構成されている。そこで、インターロック装置としては、それらの開閉カバーを個々に検知する手段が必要となる。
【０００９】
しかしながら、この検知機構は、設置の増大や構造の複雑さ、機構の配置の制約などを伴い、技術面やコスト面でも課題が大きくなっている。例えば前掲の図６、特許文献１及び特許文献２のようなリンク機構では、対応できるカバーは２つが限界で、３個４個のカバー検知を行うには、メカ的には開閉カバーの開閉方向やストライカーの位置関係に制約が加わる複雑な構成となるという問題がある。また、別の手段としては、個別にスイッチを複数配置して電気的な回路処理で対応する手段で対応するなども考えられるが、コスト面でも課題があった。
【００１０】
本発明は、前述の従来の不具合を解消しつつ、複雑な機構がふようで複数の開閉カバーの検知が達成できるとともに、自由度の高いインターロック装置及び画像形成装置を提供することを課題とする。
【課題を解決するための手段】
【００１１】
請求項１のインターロック装置は、電気機器の筐体の開閉カバーに連動して電源のスイッチをＯＮ／ＯＦＦするインターロック装置において、前記筐体側に設けられ前記スイッチをＯＮ／ＯＦＦ方向に可動する係合部材と、前記開閉カバー側に凸形状に形成され該開閉カバーの閉時に筐体内部に挿入するストライカーとを備え、該開閉カバーが閉まる際は、上記ストライカーが筐体側の前記係合部材と当接し、前記スイッチをＯＮ方向に作用し、開閉カバーが開く際は、上記ストライカーが上記係合部材から離間して、上記スイッチをＯＦＦ方向に作用するように構成され、前記筐体側の係合部材は張力で懸架された一定長さのワイヤーで構成され、該ワイヤーが前記開閉カバーの前記ストライカーの挿入方向に直交して該ストライカーと当接する位置関係に構成されていることを特徴とする。
【００１２】
請求項２のインターロック装置は、請求項１に記載のインターロック装置であって、前記ワイヤーの懸架は、一端を固定、もう一端が可動であり、前記ストライカーの当接時の押込みに応じて、ワイヤーの懸架状態は該ストライカーの格納空間に経路を変更可能で、かつストライカーの押込み量に応じて、可動側の端部位置が変化することで前記スイッチをＯＮすることを特徴とする。
【００１３】
請求項３のインターロック装置は、請求項１または２に記載のインターロック装置であって、前記ワイヤーの可動側の端部は前記スイッチの配置側に設定され、該ワイヤーの端部に、該端部の可動範囲で該スイッチをＯＮ／ＯＦＦ可能とするアームを有することを特徴とする。
【００１４】
請求項４のインターロック装置は、請求項１乃至３の何れか一項に記載のインターロック装置であって、前記ワイヤーの可動側は、前記筐体側の固定部と弾性部材を介して接続されていることを特徴とする。
【００１５】
請求項５のインターロック装置は、請求項４に記載のインターロック装置であって、前記弾性部材の力量は、前記スイッチのＯＦＦへの戻り力による抗力より高く設定されていることを特徴とする。
【００１６】
請求項６のインターロック装置は、請求項１乃至５のいずれか一項に記載のインターロック装置であって、前記開閉カバーの開閉検知に必要な複数の開閉カバーのストライカー位置に応じて、前記筐体側における前記ワイヤーの経路が一筆書き状に張り巡らされていることを特徴とする。
【００１７】
請求項７のインターロック装置は、請求項１乃至５のいずれか一項に記載のインターロック装置であって、前記スイッチは可動レバーを備え、該可動レバーの押圧／解錠により該スイッチがＯＮ／ＯＦＦするように構成としたことを特徴とする。
【００１８】
請求項８のインターロック装置は、請求項１乃至７のいずれか一項に記載のインターロック装置であって、前記開閉カバーを１つ閉めてストライカーがワイヤーを押込む量をΔＬとした場合、ｎ個の開閉カバーが全て閉まることで前記スイッチがＯＮ状態になる条件は、前記ワイヤーの端部の移動量がΔＬ×ｎ以上であり、ワイヤーの端部の移動量がΔＬ×（ｎ−１）以下では上記スイッチはＯＦＦ状態になることを特徴とする。
【００１９】
請求項９のインターロック装置は、請求項１乃至８のいずれか一項に記載のインターロック装置であって、前記ワイヤーの経路の方向切替え部に、滑車を介することを特徴とする。
【００２０】
請求項１０のインターロック装置は、請求項１乃至９のいずれか一項に記載のインターロック装置であって、前記ストライカーの出入りにより経路が変化するワイヤーの屈曲部に滑車を介することを特徴とする。
【００２１】
請求項１１のインターロック装置は、請求項１乃至１０のいずれか一項に記載のインターロック装置であって、前記ストライカーの先端部に、前記ワイヤーの部分を保持可能なＵ溝部が設けられていることを特徴とする。
【００２２】
請求項１２の画像形成装置は、請求項１乃至１１のいずれか一項に記載のインターロック装置を備えるとともに、前記開閉カバー側に画像形成に必要な光学ユニットを、前記筺体側に作像ユニットを備えたことを特徴とする。
【００２３】
請求項１３の画像形成装置は、請求項１乃至１１のいずれか一項に記載のインターロック装置を備えるとともに、前記開閉カバー側に画像形成に必要な作像ユニットを、前記筺体側に光学ユニットを備えたことを特徴とする。
【００２４】
請求項１４の画像形成装置は、請求項１乃至１１のいずれか一項に記載のインターロック装置を備えるとともに、前記開閉カバー側に画像形成に必要な現像ユニットを、前記筺体側に光学ユニット及び感光体ユニットを備えたことを特徴とする。
【発明の効果】
【００２５】
請求項１乃至７のインターロック装置によれば、ワイヤーの這いまわしによる変動量検知の仕組みにより、複数の開閉カバーの検知が達成できるとともに、複雑な機構が不要であり、検知位置の制約が少なく、開閉カバーの開閉方向に制約がなく、自由度が増す。また、スイッチを1個で対応することができる。
【００２６】
請求項８のインターロック装置によれば、複数の開閉カバーの少なくとも1個が開くだけで、インターロックのＯＮ／ＯＦＦが可能であり、ＯＮ／ＯＦＦを検知する上で、複数の開閉カバーの開閉順序に制約条件がないので、開閉カバーをいかなる順番で開閉しても検知可能である。
【００２７】
請求項９または１０のインターロック装置によれば、ワイヤーの移動経路の切替えが負荷なく行えるので、検知機構の動的な応答性やユーザーの操作性が向上する。
【００２８】
請求項１１のインターロック装置によれば、ストライカーとワイヤーの係合が安定し脱落を防ぐので、激しいカバー操作や装置の輸送落下衝撃等に対して、装置が安定して動作する。
【００２９】
請求項１２乃至１４の画像形成装置によれば、請求項１乃至１１と同様な効果が得られる。
【図面の簡単な説明】
【００３０】
【図１】本発明の実施形態のインターロック装置を備えた画像形成装置の外観斜視図である。
【図２】本発明の実施形態の画像形成装置における開閉カバーが開のときのインターロック装置の状態を示す要部概略図である。
【図３】本発明の実施形態の画像形成装置における開閉カバーが閉のときのインターロック装置の状態を示す要部概略図である。
【図４】本発明の実施形態におけるインターロック装置の動作原理を説明する図である。
【図５】本発明の実施形態におけるワイヤーとストライカーの係合安定を考慮した実施例を示す図である。
【図６】従来のインターロック装置の一例を示す概略図である。
【図７】従来のインターロック装置の作用を説明する図である。
【発明を実施するための形態】
【００３１】
次に、本発明のインターロック装置及び画像形成装置の実施の形態を図面を参照して説明する。図１は本発明の実施形態のインターロック装置を備えた画像形成装置の外観斜視図、図２は実施形態の画像形成装置における開閉カバーが開のときのインターロック装置の状態を示す要部概略図、図３は実施形態の画像形成装置における開閉カバーが閉のときのインターロック装置の状態を示す要部概略図である。
【００３２】
図１に示すように、この画像形成装置は、４つの開閉カバーを開閉可能な構成となっている。すなわち、装置の筐体１１には、筺体１１の上面に開閉自在に設けられた第１開閉カバー１２、筺体１１の前面に開閉自在に設けられた第２開閉カバー１４、筺体１１の側面に開閉自在に設けられた第３開閉カバー１６、筺体１１の正面下部で給紙トレイ装置２０を出し入れするように開閉自在に設けられた第４開閉カバー１８を備えている。そして、第１開閉カバー１２は第１ストライカー１３を、第２開閉カバー１４は第２ストライカー１５を、第３開閉カバー１６は第３ストライカー１７を、第４開閉カバー１８は第４ストライカー１９を、それぞれ備えている。
【００３３】
また、筺体１１には、第１〜第４開閉カバー１２，１４，１６，１８の閉時に各ストライカー１３，１５，１７，１９が筺体１１内に進入できるように、各ストライカー１３，１５，１７，１９に対応する位置に、開口１３ａ，１５ａ，１７ａ，１９ａが形成されている。
【００３４】
筺体１１内の側面側には、長さ一定で可撓精を有し伸びないワイヤー２１が１本這い回されている。このワイヤー２１の経路は、第１〜第４開閉カバー１２，１４，１６，１８の閉時の各ストライカー１３，１５，１７，１９の押し込み方向に直交するように、開口１３ａ，１５ａ，１７ａ，１９ａに隣接した位置を経由して、滑車としてのプーリ対２４，２５、切替プーリ対２６、プーリ対２７，２８及び切替プーリ対２９に懸架されている。また、ワイヤー２１の一端２１Ａは筺体１１内に固定されている。ワイヤー２１の他端２１Ｂはアーム２２の一端に固定され、このアーム２２の他端は引張り力を発生する弾性部材２３に結合され、さらに、アーム２２と結合していない側の弾性部材２３のもう一端は、筐体１１に固定されている。なお、アーム２２はスライドレール２２ａによってワイヤー２１の軸方向に摺動自在に保持されている。これにより、ワイヤー２１は筐体１１上で一定の張力で懸架されている。そして、ワイヤー２１の他端２１Ｂ側に、このワイヤー２１に対向するように、電源供給用のインターロックスイッチとしてマイクロスイッチ８が配設されている。マイクロスイッチ８は、可動レバーとしてのスイッチレバー９と基部とで構成されている。
【００３５】
ここで、第１〜第４開閉カバー１２，１４，１６，１８（少なくともその１つ）を閉じると、筺体１１内に挿入される各ストライカー１３，１５，１７，１９は、直交するワイヤー２１を押込まれ、ワイヤー２１の経路が各々のストライカー１３，１５，１７，１９の位置で局所的に屈曲する経路に変化する。また、このとき、ワイヤー２１の他端２１Ｂは、ストライカー当接の屈曲に応じて経路上を移動することになる。そして、このワイヤー２１の他端２１Ｂの変動に着目し、この変動する他端２１Ｂ側にマイクロスイッチ８を配置した構成となっている。
【００３６】
以上の構成により、第１〜第４開閉カバー１２，１４，１６，１８を閉じたとき、変動する側のワイヤー２１の他端２１Ｂに結合されたアーム２２は、ワイヤー２１の移動量がある点に到達すると、アーム２２はマイクロスイッチ８のスイッチレバー９に当接し、マイクロスイッチ８がＯＮする。また、第１〜第４開閉カバー１２，１４，１６，１８の少なくとも１つを開けると、弾性部材２３の弾性力によりアーム２２は逆に移動し、このアーム２２がマイクロスイッチ８のスイッチレバー９から外れて、マイクロスイッチ８がＯＦＦとなる。
【００３７】
なお、ワイヤー２１の経路には、這いまわしの方向変換可能な屈曲位置に切替プーリ２６，２９を配置している。このことにより筐体１１内の這いまわしに自由度を出している。また、各ストライカー１３，１５，１７，１９の押込みによる屈曲に対応するように、したプーリ対２４，２５，２７，２８を配置している。これにより、各ストライカー１３，１５，１７，１９の押込みによる屈曲の案内と、ワイヤー２１が経路を移動する際に、摩擦負荷のない円滑な動作を行うようにしている。
【００３８】
また、プーリ対２４，２５，２７の回転軸は図のＹ方向と平行になっているが、これは、ストライカー１９，１５はＸ方向と平行に押し込まれ、また、ストライカー１３はＺ方向と平行に押し込まれるためである。これに対して、プーリ対２８の回転軸はＺ方向と平行になっており、これはストライカー１７はＹ方向と平行に押し込まれるためである。このように、ワイヤー２１をストライカー１３，１５，１７，１９で押込んで屈曲させる構成となっているので、このストライカー１３，１５，１７，１９の押し込み方向に自由度を持たせることができ、結果的に設計自由度が高くなる。
【００３９】
次に、ストライカー１３，１５，１７，１９の当接による屈曲でワイヤー２１の経路が変化する際の、ワイヤー２１の変動量（すなわちアーム２２の移動量）とマイクロスイッチ８のＯＮ／ＯＦＦの関係を略図で説明する。なお、以下の説明で符号は適宜省略する。
【００４０】
図４に示すように、ストライカーを境に前後に配したプーリー対の区間において、開閉カバーの開閉（すなわちストライカーの有無）でワイヤーの経路が変化するが、そのときの１つの開閉カバーが閉じる（すなわち１つのストライカーが筐体に挿入される）際のワイヤーの変動量を△Ｌとする。この変動量ΔＬは、開閉カバーを閉じていないときのプーリー対間のワイヤーの長さをＬｏｐｅｎ（図４(A) ）とし、開閉カバーを閉じたときのプーリー対間のワイヤーの長さをＬｃｌｏｓｅ（図４(B) ）とすると、ΔL＝Ｌｃｌｏｓｅ−Ｌｏｐｅｎとなる。このとき、△Ｌだけワイヤー端部のアーム２２は移動することになる。
【００４１】
マイクロスイッチ８とアーム２２の位置関係について、ワイヤーの固定端を上流側、変動側を下流側と定義した場合、相対的にはマイクロスイッチ８は上流側、アーム２２は下流側に配置されている。ここで、図６(A) の破線で示すアーム２２の位置はマイクロスイッチ８をＯＮとする位置であり、実線で示すアーム２２の位置は開閉カバーが開状態（ストライカーがワイヤーを屈曲させない状態）の位置である。そして、この２つの状態のアーム２２とマイクロスイッチ８の２点間距離をＬｏｎとし、ストライカーの数（プーリー対の数）をｎとする（実施形態ではｎ＝４）。このとき、Ｌｏｎ＝△Ｌ×ｎとなるように各部が設定されている。
【００４２】
したがって、複数ｎ個の開閉カバーを全て閉じたときに、アーム２２はマイクロスイッチ８に向かって移動し、マイクロスイッチをＯＮ状態にする。また、複数の開閉カバーのうちいずれかの１つの開閉カバーが開いているとアーム２２はマイクロスイッチ８の位置に達することができないので、マイクロスイッチはＯＦＦ状態になる。すなわちＬｏｎ＞△Ｌ×（ｎ−１）となる。
【００４３】
図５はワイヤーとストライカーの係合安定を考慮した実施例であり、この実施例では、ストライカーの先端部にＵ字溝部５０を設けている。このＵ字溝部５０によって、ワイヤーが溝奥に案内され、係合時はワイヤーは安定して保持される。開閉動作が激しく扱われたり、輸送落下衝撃により、ワイヤーがストライカーから脱落するのを防いでいる。
【００４４】
このように、電気機器である画像形成装置のの筐体１１の開閉カバー１２，１４，１６，１８に連動して電源のスイッチ８がＯＮ／ＯＦＦするインターロック装置を構成しており、筐体１１側に設けられスイッチ８をＯＮ／ＯＦＦ方向に可動する係合部材として、ワイヤー２１とレバー２２とを備えている。また、ストライカー１３，１５，１７，１９は、対応する開閉カバー１２，１４，１６，１８側に凸形状に形成され、開閉カバー１２，１４，１６，１８の閉時に筐体１１内部に挿入するように構成されている。そして、開閉カバー１２，１４，１６，１８が閉まる際は、ストライカー１３，１５，１７，１９が筐体１１側のワイヤー２１と当接し、スイッチ８をＯＮ方向に作用し、開閉カバー１２，１４，１６，１８が開く際は、上記ストライカー１３，１５，１７，１９がワイヤー２１から離間して、スイッチ８をＯＦＦ方向に作用するように構成されている。また、筐体１１側のワイヤー２１は張力で懸架された一定長さであり、このワイヤー２１が開閉カバー１２，１４，１６，１８のストライカー１３，１５，１７，１９の挿入方向に直交して当接する位置関係に構成されている。
【００４５】
ワイヤー２１の懸架は、一端を固定、もう一端が可動であり、ストライカー１３，１５，１７，１９の当接時の押込みに応じて、ワイヤー２１の懸架状態は、ストライカー１３，１５，１７，１９の格納空間に経路を変更可能で、かつストライカー１３，１５，１７，１９の押込み量に応じて、可動側の端部２１Ｂの位置が変化することでスイッチ８をＯＮするように構成されている。
【００４６】
また、ワイヤー２１の可動側の端部２１Ｂはスイッチ８の配置側に設定され、ワイヤー２１の端部２１Ｂに、この端部２１Ｂの可動範囲でスイッチ８をＯＮ／ＯＦＦ可能とするアーム２２を有している。
【００４７】
また、ワイヤー２１の可動側である端部２１Ｂは、筐体１１側の固定部と弾性部材２３を介して接続されている。スイッチ８のスイッチレバー９はＯＦＦ方向に戻るように作用し、この戻り力はレバー２２をとどめるように抗力を生む。しかしながら、弾性部材２３の力量は、この抗力より高く設定されている。したがって、開閉カバー１２，１４，１６，１８が開くと、スイッチ８は速やかにＯＦＦする。
【００４８】
また、前記のようにワイヤー２１の経路には自由度があり、開閉カバー１２，１４，１６，１８の開閉検知に必要な複数の開閉カバーのストライカー１３，１５，１７，１９の位置に応じて、筐体１１側におけるワイヤー２１の経路は一筆書き状に張り巡らされている。
【００４９】
また、スイッチ８は可動レバーとしてのスイッチレバー９を備え、このスイッチレバー９の押圧／解錠によりスイッチ８がＯＮ／ＯＦＦする。
【００５０】
また、開閉カバーの１つを閉めてストライカーがワイヤー２１を押込む量をΔＬとした場合、ｎ個の開閉カバーが全て閉まることでスイッチ８がＯＮ状態になる条件は、ワイヤー２１の端部２１Ｂの移動量がΔＬ×ｎ以上である。また、ワイヤー２１の端部２１Ｂの移動量がΔＬ×（ｎ−１）以下ではスイッチ８はＯＦＦ状態になる。
【００５１】
また、ワイヤー２１の経路の方向切替え部に、滑車としての切替プーリ２６，２９を介して構成されている。
【００５２】
また、ストライカーの出入りにより経路が変化するワイヤー２１の屈曲部に滑車としてのプーリ対２４，２５，２７，２８を介して構成されている。
【００５３】
また、ストライカーの先端部に、ワイヤー２１の部分を保持可能なＵ溝部５０が設けられている。
【００５４】
ここで、図１に示す画像形成装置１００において、第１開閉カバー１２側に画像形成に必要な光学ユニットを備え、また、筺体１１側に感光体、トナーカートリッジ等からなる作像ユニットを備えた構成としてもよい。
【００５５】
あるいは、図１に示す画像形成装置１００において、第１開閉カバー１２側に画像形成に必要な感光体・トナーカートリッジ等の作像ユニットを備え、また、筺体１１側に光学ユニットを備えた構成としてもよい。
【００５６】
あるいは、図１に示す画像形成装置１００において、第１開閉カバー１２側に画像形成に必要なトナーカートリッジ等の現像ユニットを備え、また、筺体１１側に光学ユニット及び感光体ユニットを備え、作像ユニットのＡＩＯの感光体とトナーカートリッジとを分離した構成としてもよい。
【符号の説明】
【００５７】
８      スイッチ
９      スイッチレバー
１１    筺体
１２    第１開閉カバー
１３    ストライカー
１４    第２開閉カバー
１５    ストライカー
１６    第３開閉カバー
１７    ストライカー
１８    第４開閉カバー
１９    ストライカー
２１    ワイヤー
２２    レバー
２３    弾性部材
１００  画像形成装置
【先行技術文献】
【特許文献】
【００５８】
【特許文献１】特許第４０７９５８８号公報
【特許文献２】特開２００２−６７４３７号公報
【図１】
2010217474.tif 000003
【図２】
2010217474.tif 000004
【図３】
2010217474.tif 000005
【図４】
2010217474.tif 000006
【図５】
2010217474.tif 000007
【図６】
2010217474.tif 000008
【図７】
2010217474.tif 000009